【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
修正期間の間、識別子を含む第１のマルチキャスト／ブロードキャストエリア構成メッセージを受信することと、前記識別子は、セッションに関連し、
前記識別子が所望のセッションに関連するかどうかを決定することと、
前記識別子が所望のセッションに関連しないと決定されるときに、修正期間の間、前記修正期間の間にマルチキャスト／ブロードキャスト制御情報を前もって取得せずに、マルチキャスト／ブロードキャストエリアに関連するマルチキャスト／ブロードキャスト制御情報の変化の通知を監視することと、
前記修正期間の間、前記マルチキャスト／ブロードキャスト制御情報の前記変化の前記通知を監視しながら、前記修正期間の間に、前記マルチキャスト／ブロードキャスト制御情報を取得することと、
を備える、ワイヤレス通信の方法。
【請求項２】
前記識別子が所望のセッションに関連しないことを決定することと、
前記マルチキャスト／ブロードキャスト制御情報の前記変化の前記通知を前もって受信せずに、次の修正期間の間、第２のマルチキャスト／ブロードキャストエリア構成メッセージを監視することと、
をさらに備える、請求項１に記載の方法。
【請求項３】
前記第１のマルチキャスト／ブロードキャストエリア構成メッセージは、少なくとも１つの修正期間の間の複数のマルチキャスト／ブロードキャストエリア構成メッセージを備え、前記複数のマルチキャスト／ブロードキャストエリア構成メッセージの各々は、前記セッションに関連する前記識別子を含み、前記方法はさらに、
前記複数のマルチキャスト／ブロードキャストエリア構成メッセージの各々中に含まれる前記識別子が前記所望のセッションに関連するかどうかを決定することと、
各識別子が前記所望のセッションに関連しないことを決定すると、前記少なくとも１つの修正期間に続く１つまたは複数の修正期間の中で、さらなるマルチキャスト／ブロードキャストエリア構成メッセージを監視することをやめることと、
をさらに備える、請求項１に記載の方法。
【請求項４】
前記さらなるマルチキャスト／ブロードキャストエリア構成メッセージを監視することを前記やめることは、前記マルチキャスト／ブロードキャスト制御情報の前記変化の前記通知が受信されるまで行われる、請求項３に記載の方法。
【請求項５】
タイマを始動させることをさらに備え、前記さらなるマルチキャスト／ブロードキャストエリア構成メッセージを監視することを前記やめることは、前記マルチキャスト／ブロードキャスト制御情報の前記変化の前記通知が受信されるか、または前記タイマが終了するまで行われる、請求項３に記載の方法。
【請求項６】
タイマを始動させることと、
前記タイマが終了するまで、前記マルチキャスト／ブロードキャスト制御情報の前記変化の前記通知を監視し続けることと、
をさらに備える、請求項１に記載の方法。
【請求項７】
第１の修正期間の間、および前記タイマが終了する前、前記マルチキャスト／ブロードキャスト制御情報の前記変化の前記通知を受信することと、
前記タイマが終了する前、および前記第１の修正期間に続く第２の修正期間の間、少なくとも１つのマルチキャスト／ブロードキャストエリア構成メッセージを受信することと、前記少なくとも１つのマルチキャスト／ブロードキャスト構成メッセージの各々は、セッションに関連する識別子を含み、
各識別子が前記所望のセッションに関連するかどうかを決定することと、
各識別子が前記所望のセッションに関連しないことを決定すると、前記マルチキャスト／ブロードキャスト制御情報の前記変化の第２の通知が受信されるか、または前記タイマが終了するまで、さらなるマルチキャスト／ブロードキャストエリア構成メッセージを監視することをやめることと、
をさらに備える、請求項６に記載の方法。
【請求項８】
前記タイマの終了後、前記マルチキャスト／ブロードキャスト制御情報の前記変化の前記通知を前記監視することを停止することと、
各識別子が前記所望のセッションに関連するかどうかを決定することと、
各識別子が前記所望のセッションに関連しないことを決定すると、前記所望のセッションの検索を停止することと、
をさらに備える、請求項６に記載の方法。
【請求項９】
前記マルチキャスト／ブロードキャスト制御情報は、マルチキャスト制御チャネル（ＭＣＣＨ）内のマルチキャスト／ブロードキャストエリア構成メッセージの中で受信される、請求項１に記載の方法。
【請求項１０】
前記マルチキャスト／ブロードキャスト制御情報は、発展型マルチメディアブロードキャストマルチキャストサービス（ｅＭＢＭＳ）に関連する、請求項１に記載の方法。
【請求項１１】
マルチキャスト／ブロードキャストエリアに入ることをさらに備え、前記マルチキャスト／ブロードキャストエリアに入ると、前記監視および前記取得が行われる、請求項１に記載の方法。
【請求項１２】
修正期間の間、識別子を含む第１のマルチキャスト／ブロードキャストエリア構成メッセージを受信するための手段と、前記識別子は、セッションに関連し、
前記識別子が所望のセッションに関連するかどうかを決定するための手段と、
前記識別子が所望のセッションに関連しないと決定されるときに、修正期間の間、前記修正期間の間にマルチキャスト／ブロードキャスト制御情報を前もって取得せずに、マルチキャスト／ブロードキャストエリアに関連するマルチキャスト／ブロードキャスト制御情報の変化の通知を監視するための手段と、
前記修正期間の間、前記マルチキャスト／ブロードキャスト制御情報の前記変化の前記通知を監視しながら、前記修正期間の間に、前記マルチキャスト／ブロードキャスト制御情報を取得するための手段と、
を備える、ワイヤレス通信のための装置。
【請求項１３】
前記識別子が所望のセッションに関連しないことを決定するための手段と、
前記マルチキャスト／ブロードキャスト制御情報の前記変化の前記通知を前もって受信せずに、次の修正期間の間、第２のマルチキャスト／ブロードキャストエリア構成メッセージを監視するための手段と、
をさらに備える、請求項１２に記載の装置。
【請求項１４】
前記第１のマルチキャスト／ブロードキャストエリア構成メッセージは、少なくとも１つの修正期間の間の、複数のマルチキャスト／ブロードキャストエリア構成メッセージを備え、前記複数のマルチキャスト／ブロードキャストエリア構成メッセージの各々は、前記セッションに関連する前記識別子を含み、前記装置はさらに、
前記複数のマルチキャスト／ブロードキャストエリア構成メッセージの各々中に含まれる前記識別子が前記所望のセッションに関連するかどうかを決定するための手段と、
各識別子が前記所望のセッションに関連しないことを決定すると、前記少なくとも１つの修正期間に続く１つまたは複数の修正期間の中で、さらなるマルチキャスト／ブロードキャストエリア構成メッセージを監視することをやめるための手段と、
をさらに備える、請求項１２に記載の装置。
【請求項１５】
前記さらなるマルチキャスト／ブロードキャストエリア構成メッセージを監視することを前記やめるための手段は、前記マルチキャスト／ブロードキャスト制御情報の前記変化の前記通知が受信されるまで監視することをやめるように構成された、請求項１４に記載の装置。
【請求項１６】
タイマを始動させるための手段をさらに備え、前記さらなるマルチキャスト／ブロードキャストエリア構成メッセージを監視することを前記やめるための手段は、前記マルチキャスト／ブロードキャスト制御情報の前記変化の前記通知が受信されるか、または前記タイマが終了するまで、監視することをやめるように構成された、請求項１４に記載の装置。
【請求項１７】
タイマを始動させるための手段と、
前記タイマが終了するまで、前記マルチキャスト／ブロードキャスト制御情報の前記変化の前記通知を監視し続けるための手段と、
をさらに備える、請求項１２に記載の装置。
【請求項１８】
第１の修正期間の間、および前記タイマが終了する前、前記マルチキャスト／ブロードキャスト制御情報の前記変化の前記通知を受信するための手段と、
前記タイマが終了する前、および前記第１の修正期間に続く第２の修正期間の間、前記第１のマルチキャスト／ブロードキャストエリア構成メッセージを受信するための手段と、前記少なくとも１つのマルチキャスト／ブロードキャスト構成メッセージの各々は、前記セッションに関連する識別子を含み、
各識別子が所望のセッションに関連するかどうかを決定するための手段と、
各識別子が前記所望のセッションに関連しないことを決定すると、前記マルチキャスト／ブロードキャスト制御情報の前記変化の第２の通知が受信されるか、または前記タイマが終了するまで、さらなるマルチキャスト／ブロードキャストエリア構成メッセージを監視することをやめるための手段と、
をさらに備える、請求項１７に記載の装置。
【請求項１９】
前記タイマの終了後、前記マルチキャスト／ブロードキャスト制御情報の前記変化の前記通知を前記監視することを停止するための手段と、
各識別子が前記所望のセッションに関連するかどうかを決定するための手段と、
各識別子が前記所望のセッションに関連しないことを決定すると、前記所望のセッションの検索を停止するための手段と、
をさらに備える、請求項１７に記載の装置。
【請求項２０】
前記マルチキャスト／ブロードキャスト制御情報は、マルチキャスト制御チャネル（ＭＣＣＨ）内のマルチキャスト／ブロードキャストエリア構成メッセージの中で受信される、請求項１２に記載の装置。
【請求項２１】
前記マルチキャスト／ブロードキャスト制御情報は、発展型マルチメディアブロードキャストマルチキャストサービス（ｅＭＢＭＳ）に関連する、請求項１２に記載の装置。
【請求項２２】
前記マルチキャスト／ブロードキャストエリアに入ると、前記マルチキャスト／ブロードキャスト制御情報の前記変化の前記通知を前記監視するための手段は監視を開始し、前記マルチキャスト／ブロードキャストエリアに入ると、前記マルチキャスト／ブロードキャスト制御情報を前記取得するための手段は取得を開始する、請求項１２に記載の装置。
【請求項２３】
メモリと、
前記メモリに結合され、
修正期間の間、識別子を含む第１のマルチキャスト／ブロードキャストエリア構成メッセージを受信することと、前記識別子は、セッションに関連し、
前記識別子が所望のセッションに関連するかどうかを決定することと、
前記識別子が所望のセッションに関連しないと決定されるときに、修正期間の間、前記修正期間の間にマルチキャスト／ブロードキャスト制御情報を前もって取得せずに、マルチキャスト／ブロードキャストエリアに関連するマルチキャスト／ブロードキャスト制御情報の変化の通知を監視することと、
前記修正期間の間、前記マルチキャスト／ブロードキャスト制御情報の前記変化の前記通知を監視しながら、前記修正期間の間に、前記マルチキャスト／ブロードキャスト制御情報を取得することと、
を行うように構成された処理システムと、
を備える、ワイヤレス通信のための装置。
【請求項２４】
前記処理システムは、
前記識別子が所望のセッションに関連しないことを決定することと、
前記マルチキャスト／ブロードキャスト制御情報の前記変化の前記通知を前もって受信せずに、次の修正期間の間、第２のマルチキャスト／ブロードキャストエリア構成メッセージを監視することと、
を行うようにさらに構成された、請求項２３に記載の装置。
【請求項２５】
前記第１のマルチキャスト／ブロードキャストエリア構成メッセージは、少なくとも１つの修正期間の間の、複数のマルチキャスト／ブロードキャストエリア構成メッセージを備え、前記複数のマルチキャスト／ブロードキャストエリア構成メッセージの各々は、前記セッションに関連する前記識別子を含み、前記処理システムは、
前記複数のマルチキャスト／ブロードキャストエリア構成メッセージの各々中に含まれる前記識別子が前記所望のセッションに関連するかどうかを決定することと、
各識別子が前記所望のセッションに関連しないことを決定すると、前記少なくとも１つの修正期間に続く１つまたは複数の修正期間の中で、さらなるマルチキャスト／ブロードキャストエリア構成メッセージを監視することをやめることと、
を行うようにさらに構成された、請求項２３に記載の装置。
【請求項２６】
前記処理システムは、前記マルチキャスト／ブロードキャスト制御情報の前記変化の前記通知が受信されるまで、前記さらなるマルチキャスト／ブロードキャストエリア構成メッセージを監視することをやめるように構成された、請求項２５に記載の装置。
【請求項２７】
前記処理システムはタイマを始動させるようにさらに構成され、前記処理システムは、前記マルチキャスト／ブロードキャスト制御情報の前記変化の前記通知が受信されるか、または前記タイマが終了するまで、前記さらなるマルチキャスト／ブロードキャストエリア構成メッセージを監視することをやめるようにさらに構成された、請求項２５に記載の装置。
【請求項２８】
前記処理システムは、
タイマを始動させることと、
前記タイマが終了するまで、前記マルチキャスト／ブロードキャスト制御情報の前記変化の前記通知を監視し続けることと、
を行うようにさらに構成された、請求項２３に記載の装置。
【請求項２９】
前記処理システムは、
第１の修正期間の間、および前記タイマが終了する前、前記マルチキャスト／ブロードキャスト制御情報の前記変化の前記通知を受信することと、
前記タイマが終了する前、および前記第１の修正期間に続く第２の修正期間の間、前記第１の少なくとも１つのマルチキャスト／ブロードキャストエリア構成メッセージを受信することと、前記少なくとも１つのマルチキャスト／ブロードキャスト構成メッセージの各々は、前記セッションに関連する前記識別子を含み、
各識別子が所望のセッションに関連するかどうかを決定することと、
各識別子が前記所望のセッションに関連しないことを決定すると、前記マルチキャスト／ブロードキャスト制御情報の前記変化の第２の通知が受信されるか、または前記タイマが終了するまで、さらなるマルチキャスト／ブロードキャストエリア構成メッセージを監視することをやめることと、
を行うようにさらに構成された、請求項２８に記載の装置。
【請求項３０】
前記処理システムは、
前記タイマの終了後、前記マルチキャスト／ブロードキャスト制御情報の前記変化の前記通知を前記監視することを停止することと、
各識別子が前記所望のセッションに関連するかどうかを決定することと、
各識別子が前記所望のセッションに関連しないことを決定すると、前記所望のセッションの検索を停止することと、
を行うようにさらに構成された、請求項２８に記載の装置。
【請求項３１】
前記マルチキャスト／ブロードキャスト制御情報は、マルチキャスト制御チャネル（ＭＣＣＨ）内のマルチキャスト／ブロードキャストエリア構成メッセージの中で受信される、請求項２３に記載の装置。
【請求項３２】
前記マルチキャスト／ブロードキャスト制御情報は、発展型マルチメディアブロードキャストマルチキャストサービス（ｅＭＢＭＳ）に関連する、請求項２３に記載の装置。
【請求項３３】
前記マルチキャスト／ブロードキャストエリアに入ると、前記処理システムは、前記マルチキャスト／ブロードキャスト制御情報の前記変化の前記通知を監視することを開始し、前記マルチキャスト／ブロードキャスト制御情報を取得することを開始するように構成された、請求項２３に記載の装置。
【請求項３４】
修正期間の間、識別子を含む第１のマルチキャスト／ブロードキャストエリア構成メッセージを受信することと、前記識別子は、セッションに関連し、
前記識別子が所望のセッションに関連するかどうかを決定することと、
前記識別子が所望のセッションに関連しないと決定されるときに、修正期間の間、前記修正期間の間にマルチキャスト／ブロードキャスト制御情報を前もって取得せずに、マルチキャスト／ブロードキャストエリアに関連するマルチキャスト／ブロードキャスト制御情報の変化の通知を監視することと、
前記修正期間の間、前記マルチキャスト／ブロードキャスト制御情報の前記変化の前記通知を監視しながら、前記修正期間の間に、前記マルチキャスト／ブロードキャスト制御情報を取得することと、
を行うためのコードを備える、非一時的コンピュータ可読媒体。
【請求項３５】
前記識別子が所望のセッションに関連しないことを決定することと、
前記マルチキャスト／ブロードキャスト制御情報の前記変化の前記通知を前もって受信せずに、次の修正期間の間、第２のマルチキャスト／ブロードキャストエリア構成メッセージを監視することと、
を行うためのコードをさらに備える、請求項３４に記載の非一時的コンピュータ可読媒体。
【請求項３６】
前記第１のマルチキャスト／ブロードキャストエリア構成メッセージは、少なくとも１つの修正期間の間の、複数のマルチキャスト／ブロードキャストエリア構成メッセージを備え、前記複数のマルチキャスト／ブロードキャストエリア構成メッセージは、前記セッションに関連する前記識別子を含み、
前記複数のマルチキャスト／ブロードキャストエリア構成メッセージの各々中に含まれる前記識別子が前記所望のセッションに関連するかどうかを決定することと、
各識別子が前記所望のセッションに関連しないことを決定すると、前記少なくとも１つの修正期間に続く１つまたは複数の修正期間の中で、さらなるマルチキャスト／ブロードキャストエリア構成メッセージを監視することをやめることと、
を行うためのコードをさらに備える、請求項３４に記載の非一時的コンピュータ可読媒体。
【請求項３７】
前記さらなるマルチキャスト／ブロードキャストエリア構成メッセージを監視することをやめるための前記コードは、前記マルチキャスト／ブロードキャスト制御情報の前記変化の前記通知が受信されるまで、監視することをやめる、請求項３６に記載の非一時的コンピュータ可読媒体。
【請求項３８】
タイマを始動させるためのコードをさらに備え、前記さらなるマルチキャスト／ブロードキャストエリア構成メッセージを監視することをやめるための前記コードは、前記マルチキャスト／ブロードキャスト制御情報の前記変化の前記通知が受信されるか、または前記タイマが終了するまで、監視することをやめる、請求項３６に記載の非一時的コンピュータ可読媒体。
【請求項３９】
タイマを始動させることと、
前記タイマが終了するまで、前記マルチキャスト／ブロードキャスト制御情報の前記変化の前記通知を監視し続けることと、
を行うためのコードをさらに備える、請求項３４に記載の非一時的コンピュータ可読媒体。
【請求項４０】
第１の修正期間の間、および前記タイマが終了する前、前記マルチキャスト／ブロードキャスト制御情報の前記変化の前記通知を受信することと、
前記タイマが終了する前、および前記第１の修正期間に続く第２の修正期間の間、前記第１の少なくとも１つのマルチキャスト／ブロードキャストエリア構成メッセージを受信することと、前記少なくとも１つのマルチキャスト／ブロードキャスト構成メッセージの各々は、前記セッションに関連する前記識別子を含み、
各識別子が前記所望のセッションに関連するかどうかを決定することと、
各識別子が前記所望のセッションに関連しないことを決定すると、前記マルチキャスト／ブロードキャスト制御情報の前記変化の第２の通知が受信されるか、または前記タイマが終了するまで、さらなるマルチキャスト／ブロードキャストエリア構成メッセージを監視することをやめることと、
を行うためのコードをさらに備える、請求項３９に記載の非一時的コンピュータ可読媒体。
【請求項４１】
前記タイマの終了後、前記マルチキャスト／ブロードキャスト制御情報の前記変化の前記通知を前記監視することを停止することと、
各識別子が前記所望のセッションに関連するかどうかを決定することと、
各識別子が前記所望のセッションに関連しないことを決定すると、前記所望のセッションの検索を停止することと、
を行うためのコードをさらに備える、請求項３９に記載の非一時的コンピュータ可読媒体。
【請求項４２】
前記マルチキャスト／ブロードキャスト制御情報は、マルチキャスト制御チャネル（ＭＣＣＨ）内のマルチキャスト／ブロードキャストエリア構成メッセージの中で受信される、請求項３４に記載の非一時的コンピュータ可読媒体。
【請求項４３】
前記マルチキャスト／ブロードキャスト制御情報は、発展型マルチメディアブロードキャストマルチキャストサービス（ｅＭＢＭＳ）に関連する、請求項３４に記載の非一時的コンピュータ可読媒体。
【請求項４４】
前記マルチキャスト／ブロードキャストエリアに入ると、前記マルチキャスト／ブロードキャスト制御情報の前記変化の前記通知を監視するための前記コードは監視を開始し、前記マルチキャスト／ブロードキャストエリアに入ると、前記マルチキャスト／ブロードキャスト制御情報を取得するための前記コードは取得を開始する、請求項３４に記載の非一時的コンピュータ可読媒体。